(57)【要約】【課題】顧客が商品登録に使用する携帯端末を別個に収納している収納装置に通信機能を持たせることなく、使用する１つの携帯端末を収納装置から取り出し可能な状態とすることができる商品販売処理システムを提供する。【解決手段】会員カードリーダから正しい会員カードである場合に送信される会員番号データをハンディターミナルが受信すると、ハンディターミナルは光信号（ロック解除信号）を発信し、客用クレードルはハンディターミナルからのロック解除信号を受けてハンディターミナルのロックを解除する。【選択図】図９
2009163403.tif 000002
【特許請求の範囲】
【請求項１】
顧客が商品陳列場所で携帯端末を操作して商品のコードを該携帯端末に読み取り記憶させ、この記憶させたデータに基づいてレジで精算を行う商品販売処理システムにおいて、
前記携帯端末と、前記携帯端末を収納する収納装置と、前記携帯端末と通信可能であって前記収納装置に収納された携帯端末を取り出すための操作をする操作手段と、前記操作手段が操作された場合に前記収納装置に収納された携帯端末に確認信号を送信する送信手段と、を含み、
前記携帯端末は、
前記送信手段から前記確認信号を受信するとロック解除信号を発信する信号発信手段を備え、
前記収納装置は、
前記携帯端末を載置した状態で取り出し不可能とするロック手段と、
前記ロック手段により取り出し不可能にされた携帯端末から前記ロック解除信号を受信する受信手段と、
前記受信手段により前記ロック解除信号を受信すると前記ロック手段を解除するロック解除手段と、を備える
ことを特徴とする商品販売処理システム。
【請求項２】
前記携帯端末は、商品に付された前記コードに光を照射してその反射光により該コードを読み取るコード読取部を備え、
前記信号発信手段は、前記コード読取部から発する光によって前記ロック解除信号を発信する
ことを特徴とする請求項１に記載の商品販売処理システム。
【請求項３】
前記ロック手段は、ロック状態で前記携帯端末を覆い、解除状態で開動するように付勢されたカバーであることを特徴とする請求項１または請求項２に記載の商品販売処理システム。
【発明の詳細な説明】
【技術分野】
【０００１】
本発明は商品販売処理システムに係り、特に顧客自身が所定の端末で商品のコードを読み取って、その端末を用いて精算を行う商品販売処理システムに関する。
【背景技術】
【０００２】
スーパーマーケット等の小売店で客が買い上げる商品の登録・精算を行う商品販売処理システムとして、会員カード等をカード読取装置に読み取らせて複数用意された携帯端末から１つを指定し、指定された携帯端末を使って顧客自身が買い上げる商品の登録を行い、その携帯端末をレジに持って行き代金の精算を行う、セルフスキャニングシステムと呼ばれる商品販売処理システムが提案されている。また、上記複数の携帯端末がそれぞれ別個の収納装置に収納され、会員カードの読み取りによって１つの携帯端末が指定された際に対応する収納装置のカバーを開動しランプを点灯することで、顧客がどの携帯端末を使えばよいか知らせる技術が、特許文献１に開示されている。
【特許文献１】特開平１０−２４１０４５号公報
【発明の開示】
【発明が解決しようとする課題】
【０００３】
ここで、上記従来の商品販売処理システムでは、顧客が使用する携帯端末を指定する際に、携帯端末を収納する収納装置が、どの携帯端末を顧客に使用させるかの指示を受けるために会員カードを読み取るカード読取装置やその上位の管理装置と通信を行う必要がある。したがって、複数設けられる全ての収納装置にカード読取装置や管理装置との通信を行う機能を持たせなければならず、その分コストが高くなってしまうという問題があった。
【０００４】
本発明は上記の点に鑑みてなされたものであり、その目的は、顧客が商品登録に使用する携帯端末を別個に収納している収納装置に通信機能を持たせることなく、使用する１つの携帯端末を収納装置から取り出し可能な状態とすることができる商品販売処理システムを提供することにある。
【課題を解決するための手段】
【０００５】
本発明は上記の課題を解決するためになされたものであり、顧客が商品陳列場所で携帯端末を操作して商品のコードを該携帯端末に読み取り記憶させ、この記憶させたデータに基づいてレジで精算を行う商品販売処理システムにおいて、前記携帯端末と、前記携帯端末を収納する収納装置と、前記携帯端末と通信可能であって前記収納装置に収納された携帯端末を取り出すための操作をする操作手段と、前記操作手段が操作された場合に前記収納装置に収納された携帯端末に確認信号を送信する送信手段と、を含み、前記携帯端末は、前記送信手段から前記確認信号を受信するとロック解除信号を発信する信号発信手段を備え、前記収納装置は、前記携帯端末を載置した状態で取り出し不可能とするロック手段と、前記ロック手段により取り出し不可能にされた携帯端末から前記ロック解除信号を受信する受信手段と、前記受信手段により前記ロック解除信号を受信すると前記ロック手段を解除するロック解除手段と、を備えることを特徴とする。
【０００６】
この発明によれば、操作手段が操作された場合に送信手段から送信される確認信号を携帯端末が受信し、確認信号を受信すると携帯端末はロック解除信号を発信し、収納装置は携帯端末からのロック解除信号を受けて携帯端末のロックを解除するので、収納装置はカード読取装置や管理装置と通信をすることなく、携帯端末を取り出し可能な状態にすることができる。したがって、収納装置にカード読取装置や管理装置との通信機能を持たせる必要がないので、商品販売処理システムを低コストにすることができる。
【０００７】
また、本発明は、上記の商品販売処理システムにおいて、前記携帯端末は、商品に付された前記コードに光を照射してその反射光により該コードを読み取るコード読取部を備え、前記信号発信手段は、前記コード読取部から発する光によって前記ロック解除信号を発信することを特徴とする。
【０００８】
この発明によれば、携帯端末がもともと有している商品のコードを読み取るためのコード読取部を用いて、商品のコードの読み取り時と同じ光信号によりロック解除信号を発信するので、ロック解除信号を発信するための特別な部品が必要なく、商品販売処理システムを低コストにすることができる。
【０００９】
また、本発明は、上記の商品販売処理システムにおいて、前記ロック手段は、ロック状態で前記携帯端末を覆い、解除状態で開動するように付勢されたカバーであることを特徴とする。
【００１０】
この発明によれば、ロックが解除されるとカバーが開いた状態になるので、どの携帯端末が取り出し可能となったかが容易に分かるようになる。
【発明の効果】
【００１１】
本発明によれば、商品販売処理システムにおいて、顧客が商品登録に使用する携帯端末を別個に収納している収納装置に通信機能を持たせることなく、使用する１つの携帯端末を収納装置から取り出し可能な状態とすることができる。
【発明を実施するための最良の形態】
【００１２】
以下、図面を参照しながら本発明の実施形態について詳しく説明する。
図１は、本発明の一実施形態による商品販売処理システムのシステム構成を示した図である。同図において、商品販売処理システムには、ストアコントローラ１０と、複数台のＰＯＳレジスタ２０と、来店客が商品のコード読み取りに使用するｎ台のハンディターミナル３０−１〜３０−ｎ（携帯端末）と、各ＰＯＳレジスタ２０に有線接続され、ハンディターミナルが買い上げ商品の精算時にセットされるレジ用クレードル２１（中継器）と、ハンディターミナルが未使用時に載置されている客用クレードル４０と、会員カードリーダ５０とが含まれている。また、各ＰＯＳレジスタ２０と客用クレードル４０は、ＬＡＮ（Ｌｏｃａｌ  Ａｒｅａ  Ｎｅｔｗｏｒｋ）６０によりストアコントローラ１０に接続されている。
【００１３】
ここで、ストアコントローラ１０と各ＰＯＳレジスタ２０とは、本商品販売処理システムを構築する小売店において既に導入済みの既存の装置類であり、そこに、レジ用クレードル２１、ハンディターミナル３０−１〜３０−ｎ、客用クレードル４０、会員カードリーダ５０を追加導入することにより、本商品販売処理システムが構成されることになる。
【００１４】
ストアコントローラ１０は、商品ファイル、会員ファイル、販売実績ファイルなどの各種ファイルやデータの管理を行うコンピュータである。ここで、商品ファイルは、各商品の商品名、商品コード、販売価格などの商品情報を格納したファイルであり、必要に応じてその内容を編集・変更することが可能になっているとともに、最新の商品ファイルが各ＰＯＳレジスタ２０と客用クレードル４０に適宜送信される。また、会員ファイルは、この小売店に会員として登録した客のリストを会員番号などとともに格納したものである。また、販売実績ファイルは、各ＰＯＳレジスタ２０で登録・精算処理したデータを集計することにより生成したファイルである。
【００１５】
ＰＯＳレジスタ２０は、来店客が買い上げる商品の登録および精算を行うための装置であり、各種の操作キーや表示部などを備えている。このＰＯＳレジスタ２０は、元々、店員の操作により商品のバーコードを読み取るバーコードスキャナ（図示せず）が所定のケーブルで接続されていたものであるが、そのバーコードスキャナを取り外し、取り外した後の接続コネクタ２０ａに、レジ用クレードル２１が接続される。この接続には、取り外したバーコードスキャナで用いていたのと同じ通信規格、例えばＲＳ−２３２Ｃインタフェースを用いる。これにより、ＰＯＳレジスタ２０とレジ用クレードル２１、およびレジ用クレードル２１に載置される後述のハンディターミナル３０の間は、ＲＳ−２３２Ｃのシリアル通信によりデータの通信が行われることになる。レジ用クレードル２１のレジ側の端子とハンディターミナル側の端子間は、直接、信号線で接続されている。
【００１６】
本商品販売処理システムを導入した小売店では、客用クレードル４０と会員カードリーダ５０が店内の入口付近に設置される。客用クレードル４０には未使用のハンディターミナル３０が複数セットされて来店客の使用に備えられており、来店客が会員カードを会員カードリーダ５０に通すことで、そのうちの一つが使用可能状態となる。来店客は、そのハンディターミナル３０を客用クレードル４０から取り外して、買い物を開始する。そして、買いたい商品のコードをハンディターミナル３０に読み取らせていき、最後にＰＯＳレジスタ２０へ行ってレジ用クレードル２１にハンディターミナル３０をセットする（図１ではハンディターミナル３０−１がセットされている）。
【００１７】
そうすると、上記読み取られた商品のコードなどの商品買上情報が、ハンディターミナル３０からレジ用クレードル２１を介してＰＯＳレジスタ２０へ送信される。ＰＯＳレジスタ２０は、こうして取得した商品買上情報に従って、図示しないメモリに保持している商品ファイル（上記したようにストアコントローラ１０から受信したもの）を参照することにより商品登録を実行する。これにより、ＰＯＳレジスタ２０において、買い上げ商品の合計金額が算出され、算出された合計金額等がＰＯＳレジスタ２０の表示部に表示され、店員が精算操作をすると精算処理が行われて販売実績ファイルが更新され、レシートが発行される。
【００１８】
図２は、ハンディターミナル３０の構成を示すブロック図、図３および図４は、ハンディターミナル３０のそれぞれ表側外観図、裏側外観図である。なお、表側は表示ディスプレイ３０５が設けられている面、裏側はその反対側の面である。
【００１９】
ＣＰＵ３０１は、中央処理装置であり、ＲＯＭ３０２に記憶されているプログラムを読み出して実行することにより、ハンディターミナル３０の動作を制御する。
ＲＯＭ３０２は、上記プログラムを記憶している読み出し専用メモリである。
ＲＡＭ３０３は、ストアコントローラ１０より取得した商品ファイルや、スキャナ部３０４で読み取った商品のバーコードのデータや、自己のＩＰアドレスなどを記憶する、随時読み出し書き込みメモリである。
【００２０】
スキャナ部３０４は、商品に付されているバーコードを読み取るためのものであり、バーコードに光を照射してその反射光により該バーコードを読み取り、読み取ったバーコードの情報を所定の形式のデータに変換して出力する。また、客用クレードル４０に載置されている状態では、会員カードリーダ５０から自己のＩＰアドレス宛てに送信された会員番号データをハンディターミナル３０が受信した際に、バーコードの読み取り時と同様に客用クレードル４０の光センサｂ７に対して光を照射する。このスキャナ部３０４は、図４に示されるように、ハンディターミナル３０の裏側の面に設けられており、バーコードをスキャナ部３０４に近付けることにより、読み取り動作が行われる。客の操作によってバーコード読み取りが行われスキャナ部３０４から出力されたデータは、買い上げ商品を特定するデータとしてＲＡＭ３０３へ送られ、記憶される。
【００２１】
表示ディスプレイ３０５は、スキャナ部３０４によりバーコードを読み取った商品の個別の商品名や値段、読み取った全商品のリストや合計金額、買い上げ点数、その他各種のメッセージ（例えば、ハンディターミナル３０の使い方が分からない客のための使用方法案内表示）などを表示する。また、表示ディスプレイ３０５の上側中央部には、ＬＥＤ発光部３０５ａが設けられる。このＬＥＤ発光部３０５ａは、その点灯によって、客用クレードル４０に複数載置されたハンディターミナル３０のうちどれを使用するかを来店客に報知するためのものであり、上記した会員カードリーダ５０からの会員番号データが受信されると、ＬＥＤ発光部３０５ａが点灯するように制御が行われるようになっている。
【００２２】
操作部３０６は、ハンディターミナル３０を操作する各種のキーからなり、図３に示されるように、バーコードの読み取りを開始するためのスキャンキー３０６１、バーコードを読み取った商品を１つずつ取り消したり数量を修正したりするための訂正キー３０６２、読み取った全商品を取り消すための取消キー３０６３、買い上げる商品の数量を指定するための＋（プラス）キー３０６４、−（マイナス）キー３０６５、読み取った全商品のリスト表示において商品を選択するカーソルを上下させるための上下矢印キー３０６６、入力操作を決定するための決定キー３０６７を有している。
【００２３】
通信部３０７は、レジ用クレードル２１および客用クレードル４０との間で行うデータ通信の制御を行う。具体的には、ハンディターミナル３０がレジ用クレードル２１に接続された場合には、ＲＡＭ３０３に記憶された買い上げ商品のデータ（スキャナ部３０４により商品のバーコードから読み取ったデータ）をレジ用クレードル２１を介してＰＯＳレジスタ２０に送信し、ハンディターミナル３０が客用クレードル４０に接続された場合には、ストアコントローラ１０から送信される最新の商品ファイルや会員カードリーダ５０から送信される会員番号データを受信する。なお、これらのデータ通信は、上記したようにＲＳ−２３２Ｃの通信プロトコルに従って行われる。
【００２４】
ここで、ハンディターミナル３０とレジ用クレードル２１および客用クレードル４０との電気的接続は、図４に示されるように、ハンディターミナル３０の裏側の面に設けられた接続端子３０７１によりとられている。また、この接続端子３０７１は、上記のデータ通信のほか、客用クレードル４０に接続された時に充電式電池３１０の充電を行う用途も兼ねている。
【００２５】
電源制御部３０９は、ハンディターミナル３０が客用クレードル４０に接続されている間に、客用クレードル４０から供給される電力による充電式電池３１０への充電を制御する。
充電式電池３１０は、ハンディターミナル３０の各部を動作させるための電力を供給する。
【００２６】
図５は、客用クレードル４０の外観図を示したものである。この客用クレードル４０は、１つの客用クレードル４０につき１台のハンディターミナル３０を収納し、商品販売処理システム全体では、複数台のハンディターミナル３０を収納するために複数の客用クレードル４０が用いられる。図５において、客用クレードル４０は、何れかのハンディターミナル３０が上部に載置される載置台本体ｂ４と、この載置台本体ｂ４と開閉可能に構成されて該載置台本体ｂ４上に載置されたハンディターミナル３０を収納時に覆うカバーｂ２と、該カバーｂ４の開閉を閉状態にロックするロック機構ｂ１０と、ハンディターミナル３０のスキャナ部３０４から照射された光を受光する光センサｂ７（受光窓ｂ８の奥に設けられている）と、載置台本体ｂ４上に載置されたハンディターミナル３０がこの客用クレードル４０を介してストアコントローラ１０や会員カードリーダ５０と通信し、また充電式電池３１０の充電をするための接続端子ｂ１１と、を有している。
【００２７】
カバーｂ２は、軸ｂ３を回転中心として回転自在に載置台本体ｂ４に固定されている。プランジャｂ６１は、図示しない弾性部材によりソレノイドｂ６から突き出すＸａ方向に付勢されており、カバーｂ２が人手によって押し下げられることにより、カバーｂ２の下端部に設けられたピンｂ５が、プランジャｂ６１の端面に設けられた斜面を押しのけるようにして移動し、プランジャｂ６１をＸｂ方向に押動し隙間を形成しながらロックエリアｂ６２に入ると、以後、プランジャｂ６１は弾性部材によりＸａ方向に押し戻され、カバーｂ２が閉じたロック状態となる。
【００２８】
カバーｂ２が閉じられてピンｂ５がロックセンサｂ９に検知された状態で、更に光センサｂ７が光信号（ロック解除信号）を受信することにより、ソレノイド６が駆動される。すると、プランジャｂ６１がソレノイドｂ６によりＸｂ方向に引き込まれ、プランジャｂ６１とロックセンサｂ９の間にピンｂ５が通過可能な空間が発生し、図示しない弾性部材からカバーｂ２にかかる開動方向の付勢力によってピンｂ５がロックエリアｂ６２から外れることにより、カバーｂ２が開放状態となる。なお、ロックセンサｂ９がピンｂ５を検知していない状態、即ちカバーｂ２が閉じられていない状態においては、光センサｂ７が光信号を受信してもソレノイドｂ６は駆動されない。
【００２９】
図６は、会員カードリーダ５０が記憶している経過時間ファイルの一例である。経過時間ファイルは各ハンディターミナル３０が客用クレードル４０に載置されている時間の経過を管理するものであり、各ハンディターミナルの番号、ＩＰアドレス、載置経過時間、載置時刻、の各項目から構成される。例えば、番号１のハンディターミナルは、ＩＰアドレスがｘｘｘ．ｙｙｙ．ｚｚｚ．ｎｎｎ、客用クレードル４０に載置された時刻が１１時１５分、載置されてからの経過時間が１５分、である。
【００３０】
図７は、会員カードリーダ５０が記憶している会員ファイルの一例である。会員ファイルは、会員番号、名前、住所、電話番号、の各項目が表形式で表されたデータである。例えば、会員番号０００１の会員は、名前が日本太郎であり、住所が東京都大田区山の手１−２−３であり、電話番号が０３−１２３４−５６７８である。
【００３１】
図８は、会員カードリーダ５０の構成を示すブロック図である。会員カードリーダ５０は、ＣＰＵ２０１と、ＲＯＭ２０２と、ＲＡＭ２０３と、カードリーダ部２０４と、計時部２０５と、通信部２０６と、を含んで構成される。
【００３２】
ＣＰＵ２０１は、中央処理装置であり、ＲＯＭ２０２に記憶されているプログラムを読み出して実行することにより、会員カードリーダ５０の動作を制御する。ＲＯＭ２０２は、上記プログラムを記憶している読み出し専用メモリである。ＲＡＭ２０３は、図６の経過時間ファイルや図７の会員ファイルやストアコントローラ１０より取得した商品ファイルなどを記憶する、随時読み出し書き込みメモリである。カードリーダ部２０４は、会員カードの読み取りを行う。計時部２０５は、現在時刻を計時し、通信部２０６は、客用クレードル４０を介しハンディターミナル３０との間でデータ通信を行う。
【００３３】
次に、本商品販売処理システムの動作を、図９のフローチャートに沿って説明する。
【００３４】
ステップＳ１において、会員カードリーダ５０に会員カードが挿入されることによりカードリーダ部２０４がカード情報を読み取り、ＣＰＵ２０１はＲＡＭ２０３の会員ファイルを参照して正しい会員カードであるか否かを判断する。
【００３５】
ステップＳ２において、ＣＰＵ２０１は、ＲＡＭ２０３の経過時間ファイルを参照して複数のハンディターミナル３０の中から経過時間が最も長いハンディターミナル３０を選び、選んだハンディターミナル３０のＩＰアドレス宛てにステップＳ１で読み取った会員番号データを通信部２０６から送信する。この会員番号データは、客用クレードル４０を介して、ハンディターミナル３０へ送られる。
【００３６】
ステップＳ３において、ハンディターミナル３０はステップＳ２で送信された会員番号データを受信し、スキャナ部３０４から光信号（ロック解除信号）を発信する。また、ハンディターミナル３０は、ＬＥＤ発光部３０５ａを発光させ、受信した会員番号データを表示ディスプレイ３０５に表示する。
【００３７】
ステップＳ４において、客用クレードル４０の光センサｂ７がハンディターミナル３０から発せられた光信号を受信すると、ソレノイドｂ６が作動してカバーｂ２の閉状態のロックを解除しカバーｂ２を開状態とする。この結果、ハンディターミナル３０が取り出し可能な状態となり、顧客はステップＳ３で行われたＬＥＤ発光部３０５ａの点灯と表示ディスプレイ３０５の会員番号表示を確認することにより、使用するハンディターミナル３０を見つけ、そのハンディターミナル３０を客用クレードル４０から取り出して買い物を行う。
【００３８】
ステップＳ５において、会員カードリーダ５０のＣＰＵ２０１は、ハンディターミナル３０が客用クレードル４０から取り出されたことを、ハンディターミナル３０のＩＰアドレスを監視しハンディターミナル３０の接続端子３０７１と客用クレードル４０の接続端子２１１との当接が失われたことにより検知し、ＲＡＭ２０３の経過時間ファイルにおいて当該取り出されたハンディターミナル３０に対応する載置経過時間と載置時刻をクリアする。
【００３９】
ステップＳ６において、買い物を終えた顧客がハンディターミナル３０を返却しハンディターミナル３０が客用クレードル４０に載置されると、客用クレードル４０の接続端子ｂ１１とハンディターミナル３０の接続端子３０７１が当接することによりこの接続端子を介して充電が行われる。また、会員カードリーダ５０のＣＰＵ２０１はＩＰアドレスを監視することにより接続端子の当接を検知し、ＲＡＭ２０３の経過時間ファイルにおける載置時刻に現在時刻を記録する。
【００４０】
以上のように、会員カードリーダ５０から正しい会員カードである場合に送信される会員番号データをハンディターミナル３０が受信すると、ハンディターミナル３０は光信号（ロック解除信号）を発信し、客用クレードル４０はハンディターミナル３０からのロック解除信号を受けてハンディターミナル３０のロックを解除するので、客用クレードル４０は会員カードリーダ５０と通信をすることなく、ハンディターミナル３０を取り出し可能な状態にすることができる。
【００４１】
以上、図面を参照してこの発明の一実施形態について詳しく説明してきたが、具体的な構成は上述のものに限られることはなく、この発明の要旨を逸脱しない範囲内において様々な設計変更等をすることが可能である。
【００４２】
例えば、客用クレードル４０がカバーｂ２のロックを解除するのに光信号を使う代わりに、ブザーの音や電気信号、無線信号などを用いることもできる。
また、客用クレードル４０のロック手段をカバーｂ２としたが、これに限らず、ハンディターミナル３０を機械的に取り出し不可能にするものであればどのような構造のロック手段であってもよい。
また、会員カードが読み取られた際に、ハンディターミナル３０へ送信する会員番号データを、会員カードリーダ５０からではなくストアコントローラ１０から送信するようにしてもよい。
また、会員カードリーダ５０の代わりに単なる操作ボタンを設け、顧客がこの操作ボタンを押すと、例えば操作ボタンに併設された通信装置から、客用クレードル４０のロックを解除するための信号を（いずれかの）ハンディターミナル３０へ送信するようにすることで、会員カードを所持しない顧客でもハンディターミナル３０を使用可能とすることができる。
【図面の簡単な説明】
【００４３】
【図１】本発明の一実施形態による商品販売処理システムのシステム構成図である。
【図２】図１の商品販売処理システムにおけるハンディターミナルの構成を示すブロック図である。
【図３】図２のハンディターミナルの表側外観図である。
【図４】図２のハンディターミナルの裏側外観図である。
【図５】図１の商品販売処理システムにおける客用クレードルの外観図である。
【図６】経過時間ファイルの一例である。
【図７】会員ファイルの一例である。
【図８】会員カードリーダの構成を示すブロック図である。
【図９】図１の商品販売処理システムの動作を説明するフローチャートである。
【符号の説明】
【００４４】
１０…ストアコントローラ  ２０…ＰＯＳレジスタ  ２１…レジ用クレードル  ３０…ハンディターミナル  ４０…客用クレードル  ５０…会員カードリーダ  ３０１…ＣＰＵ  ３０２…ＲＯＭ  ３０３…ＲＡＭ  ３０４…スキャナ部  ３０５…表示ディスプレイ  ３０６…操作部  ３０７…通信部  ３０８…ブザー  ３０９…電源制御部  ３１０…充電式電池
【図１】
2009163403.tif 000003
【図２】
2009163403.tif 000004
【図３】
2009163403.tif 000005
【図４】
2009163403.tif 000006
【図５】
2009163403.tif 000007
【図６】
2009163403.tif 000008
【図７】
2009163403.tif 000009
【図８】
2009163403.tif 000010
【図９】
2009163403.tif 000011